(57)【要約】【課題】  道路表示板や広告板、広告塔などへの情報の表示をより迅速（リアルタイム）にかつより柔軟に行うことができる表示方法、表示システム及び地上側装置を提供すること。【解決手段】  放送衛星を介して道路表示板や広告の表示に必要な情報を放送し、それを例えば高速道路などの所定の地点に配置された道路表示板側や広告板側で受信してその情報を道路表示板や広告板に表示するようにしているので、道路表示板や広告板、広告塔などへの情報の表示をより迅速（リアルタイム）にかつより柔軟に行うことができる。【選択図】  図１
2005323051.tif 000002
【特許請求の範囲】
【請求項１】
放送衛星を介して不特定多数の人を対象とした情報の表示板において表示に必要な第１の情報を放送し、
前記放送を受信する受信装置を介して表示装置に前記第１の情報を表示する
ことを特徴とする表示方法。
【請求項２】
請求項１に記載の表示方法であって、
前記表示装置が、道路上に配置された道路表示板である
ことを特徴とする表示方法。
【請求項３】
請求項１に記載の表示方法であって、
前記受信装置が、自動車に搭載される又は持ち込まれることがある端末装置である
ことを特徴とする表示方法。
【請求項４】
請求項１に記載の表示方法であって、
前記表示装置が、放送視聴制限用の認証制御システムを備え、前記表示装置は放送視聴制限を解除するための制御情報を受信可能であって、前記表示板における表示の再生の可否の判断につき、前記制御情報の一部を用いることを特徴とする表示方法。
【請求項５】
請求項１から請求項４のうちいずれか１項に記載の表示方法であって、
前記放送衛星を介して広告に関する第２の情報を放送し、
前記表示装置に前記第２の情報を間欠的に表示する
ことを特徴とする表示方法。
【請求項６】
請求項１から請求項５のうちいずれか１項に記載の表示方法であって、
前記放送衛星を介して表示地域を特定する第３の情報を放送し、
前記表示装置の位置を検出する位置検出機能により特定される前記表示装置の位置が前記第３の情報により特定される表示域内にあるときに前記表示装置に前記第１の情報又は前記第２の情報を表示する
ことを特徴とする表示方法。
【請求項７】
請求項１から請求項６のうちいずれか１項に記載の表示方法であって、
前記放送衛星を介して前記受信装置の固有の識別子となる第４の情報を放送し、
前記受信装置は前記第４の情報が一致したとき前記第１の情報又は前記第２の情報を前記表示装置に表示する
ことを特徴とする表示方法。
【請求項８】
放送衛星を介して広告の表示に必要な第１の情報を放送し、
前記放送を受信する受信装置を介して表示装置に前記第１の情報を表示する
ことを特徴とする表示方法。
【請求項９】
請求項８に記載の表示方法であって、
前記表示装置が、広告板又は広告塔である
ことを特徴とする表示方法。
【請求項１０】
請求項８又は請求項９に記載の表示方法であって、
前記放送衛星を介して表示地域を特定する第２の情報を放送し、
前記表示装置の位置を検出する位置検出機能により特定される前記表示装置の位置が前記第２の情報により特定される表示域内にあるときに前記表示装置に前記第１の情報を表示する
ことを特徴とする表示方法。
【請求項１１】
請求項８から請求項１０のうちいずれか１項に記載の表示方法であって、
前記放送衛星を介して前記受信装置の固有の識別子となる第３の情報を放送し、
前記受信装置は前記第３の情報が一致したとき前記第１の情報を前記表示装置に表示する
ことを特徴とする表示方法。
【請求項１２】
不特定多数の人を対象とした情報の表示板の表示において必要な第１の情報を放送することが可能な放送衛星と、
前記放送を受信する受信装置と、前記受信した前記第１の情報を表示する表示装置とを有する地上側装置と
を具備することを特徴とする表示システム。
【請求項１３】
請求項１２に記載の表示システムであって、
前記表示装置が、道路上に配置された道路表示板である
ことを特徴とする表示システム。
【請求項１４】
請求項１２に記載の表示システムであって、
前記受信装置が、自動車に搭載される又は持ち込まれることがある端末装置である
ことを特徴とする表示システム。
【請求項１５】
請求項１２に記載の表示システムであって、
前記表示装置が、放送視聴制限用の認証制御システムを備え、前記表示装置は放送視聴制限を解除するための制御情報を受信可能であって、前記表示板における表示の再生の可否の判断につき、前記制御情報の一部を用いることを特徴とする表示システム。
【請求項１６】
請求項１２から請求項１５のうちいずれか１項に記載の表示システムであって、
前記放送衛星は、広告に関する第２の情報を放送する手段を有し、
前記表示装置は、前記第２の情報を間欠的に表示する手段を有する
ことを特徴とする表示システム。
【請求項１７】
請求項１２から請求項１６のうちいずれか１項に記載の表示システムであって、
前記放送衛星は、表示地域を特定する第３の情報を放送する手段を有し、
前記地上側装置は、前記表示装置の位置を検出する位置検出手段と、この位置検出手段により検出された前記表示装置の位置が前記第３の情報により特定される表示域内にあるときに前記表示装置に前記第１の情報又は前記第２の情報を表示する手段を有する
ことを特徴とする表示システム。
【請求項１８】
請求項１２から請求項１７のうちいずれか１項に記載の表示システムであって、
前記放送衛星は、前記受信装置の固有の識別子となる第４の情報を放送する手段を有し、
前記地上側装置は、前記識別子を保持する又は発生する手段と、この識別子と前記第４の情報である識別子とを比較して一致したとき前記第１の情報又は前記第２の情報を前記表示手段に表示する手段とを有する
ことを特徴とする表示システム。
【請求項１９】
広告の表示に必要な第１の情報を放送することが可能な放送衛星と、
前記放送を受信する受信装置と、前記受信した前記第１の情報を表示する表示装置とを有する地上側装置と
を具備することを特徴とする表示システム。
【請求項２０】
請求項１７に記載の表示システムであって、
前記表示装置が、広告板又は広告塔である
ことを特徴とする表示システム。
【請求項２１】
請求項１９又は請求項２０に記載の表示システムであって、
前記放送衛星は、表示地域を特定する第２の情報を放送する手段を有し、
前記地上側装置は、前記表示装置の位置を検出する位置検出手段と、この位置検出手段により検出された前記表示装置の位置が前記第２の情報により特定される表示域内にあるときに前記表示装置に前記第１の情報を表示する手段を有する
ことを特徴とする表示システム。
【請求項２２】
請求項１９から請求項２１のうちいずれか１項に記載の表示システムであって、
前記放送衛星は、前記受信装置の固有の識別子となる第３の情報を放送する手段を有し、
前記地上側装置は、前記識別子を保持する又は発生する手段と、この識別子と前記第３の情報である識別子とを比較して一致したとき前記第１の情報を前記表示手段に表示する手段とを有する
ことを特徴とする表示システム。
【請求項２３】
道路表示板の表示に必要な第１の情報を含んだ放送を受信することが可能な受信装置と、
前記受信した前記第１の情報を表示する表示装置と
を具備することを特徴とする地上側装置。
【請求項２４】
請求項２３に記載の地上側装置であって、
前記表示装置が、道路上に配置された道路表示板である
ことを特徴とする地上側装置。
【請求項２５】
請求項２３に記載の地上側装置であって、
前記受信装置が、自動車に搭載される又は持ち込まれることがある端末装置である
ことを特徴とする地上側装置。
【請求項２６】
請求項２３に記載の地上側装置であって、
前記表示装置が、放送視聴制限用の認証制御システムを備え、前記表示装置は放送視聴制限を解除するための制御情報を受信可能であって、前記表示板における表示の再生の可否の判断につき、前記制御情報の一部を用いることを特徴とする地上側装置。
【請求項２７】
請求項２３から請求項２６のうちいずれか１項に記載の地上側装置であって、
前記放送衛星から放送された広告に関する第２の情報を間欠的に前記表示装置に表示する手段を有する
ことを特徴とする地上側装置。
【請求項２８】
請求項２７に記載の地上側装置であって、
前記放送衛星から放送された広告に関する第２の情報を一旦蓄積する手段を有する
ことを特徴とする地上側装置。
【請求項２９】
請求項２３から請求項２８のうちいずれか１項に記載の地上側装置であって、
前記表示装置の位置を検出する位置検出手段と、
前記位置検出手段により検出された前記表示装置の位置が前記放送衛星から放送された表示地域を特定する第３の情報により特定される表示域内にあるときに前記表示装置に前記第１の情報又は前記第２の情報を表示する手段を有する
ことを特徴とする地上側装置。
【請求項３０】
請求項２３から請求項２９のうちいずれか１項に記載の地上側装置であって、
前記受信装置の固有の識別子を保持する又は発生する手段と、
この識別子と前記放送衛星から放送された前記識別子となる第４の情報である識別子とを比較して一致したとき前記第１の情報又は前記第２の情報を前記表示手段に表示する手段とを有する
ことを特徴とする地上側装置。
【請求項３１】
広告の表示に必要な第１の情報を含んだ放送を受信することが可能な受信装置と、
前記受信した前記第１の情報を表示する表示装置と
を具備することを特徴とする地上側装置。
【請求項３２】
請求項３１に記載の地上側装置であって、
前記表示装置が、広告板又は広告塔である
ことを特徴とする地上側装置。
【請求項３３】
請求項３１又は請求項３２に記載の地上側装置であって、
前記表示装置の位置を検出する位置検出手段と、
前記位置検出手段により検出された前記表示装置の位置が前記放送衛星から放送された表示地域を特定する第２の情報により特定される表示域内にあるときに前記表示装置に前記第１の情報を表示する手段を有する
ことを特徴とする地上側装置。
【請求項３４】
請求項３１から請求項３３のうちいずれか１項に記載の地上側装置であって、
前記受信装置の固有の識別子を保持する又は発生する手段と、
この識別子と前記放送衛星から放送された前記識別子となる第３の情報である識別子とを比較して一致したとき前記第１の情報を前記表示手段に表示する手段とを有することを特徴とする地上側装置。
【発明の詳細な説明】
【技術分野】
【０００１】
本発明は、例えば高速道路に設置された道路表示板や広告板、広告塔などに適用される表示方法、表示システム及び地上側装置に関する。
【背景技術】
【０００２】
従来から道路表示板や広告板、広告塔などへの情報の表示は、絵や文字の看板や屋外音声放送装置、電光掲示板などによって行っていた。
【０００３】
しかし、看板はその内容が固定であり容易には変えられないという欠点があり、屋外音声放送装置は静止画または動画の表示ができないという欠点がある。
【０００４】
また、電光掲示板は無線または有線で表示内容を送り表示するが極めて狭い範囲でしか視聴できず、全国一斉表示などは不可能である。たとえば高速道路の渋滞情報は一般に直近の情報に限られ、運転者が目的地の渋滞情報を高速道路運転中に道路表示板で見て知ることができるというサービスは行われていなかった。  
【特許文献１】特開２００２−３０４４４５
【発明の開示】
【課題を解決するための手段】
【０００５】
本発明は、以上の事情に鑑み、道路表示板や広告板、広告塔などへの情報の表示をより迅速（リアルタイム）にかつより柔軟に行うことができる表示方法、表示システム及び地上側装置を提供することを目的としている。
【０００６】
本発明の目的の一例として、例えば全国一斉に或いはその一方で特定の地域や個人に限定して行うことができることなどである。
【発明が解決しようとする課題】
【０００７】
（１）かかる課題を解決するため、本発明の表示方法は、放送衛星を介して道路表示板の表示に必要な第１の情報を放送し、前記放送を受信する受信装置を介して表示装置に前記第１の情報を表示することを特徴とする。
【０００８】
本発明の別の観点に係る表示システムは、道路表示板の表示に必要な第１の情報を放送することが可能な放送衛星と、前記放送を受信する受信装置と、前記受信した前記第１の情報を表示する表示装置とを有する地上側装置とを具備することを特徴とする。
【０００９】
本発明の更に別の観点に係る地上側装置は、道路表示板の表示に必要な第１の情報を含んだ放送を受信することが可能な受信装置と、前記受信した前記第１の情報を表示する表示装置とを具備することを特徴とする。
【００１０】
また、本発明の他の方法は、放送衛星を介して広告の表示に必要な第１の情報を放送し、前記放送を受信する受信装置を介して表示装置に前記第１の情報を表示することを特徴とする。
【００１１】
本発明の他の観点に係る表示システムは、広告の表示に必要な第１の情報を放送することが可能な放送衛星と、前記放送を受信する受信装置と、前記受信した前記第１の情報を表示する表示装置とを有する地上側装置とを具備することを特徴とする。
【００１２】
本発明の更に他の観点に係る地上側装置は、広告の表示に必要な第１の情報を含んだ放送を受信することが可能な受信装置と、前記受信した前記第１の情報を表示する表示装置とを具備することを特徴とする。
【００１３】
ここで、本発明では、放送衛星を介して道路表示板や広告の表示に必要な情報を放送し、それを例えば高速道路などの所定の地点に配置された道路表示板側や広告板側で受信してその情報を道路表示板や広告板に表示するようにしているので、道路表示板や広告板、広告塔などへの情報の表示をより迅速（リアルタイム）にかつより柔軟に行うことができる。
（２）本発明に係る表示装置としては、道路上に配置された道路表示板がある。例えば、高速道路に設定されている行き先案内や道路の混雑状況などである。
【００１４】
本発明に係る受信装置としては、自動車に搭載される又は持ち込まれることがある端末装置がある。より具体的には、例えば２００４年７月より運用予定のモバイル放送に使われる端末装置が好適である。放送される情報量も多く、高精細でかつ迅速なサービスを提供することが可能である。その場合の表示装置としては例えば自動車に搭載されているカーナビゲーションシステムにおける表示部を本発明に係る表示装置として利用することも可能である。
（３）本発明では、道路表示板の表示に必要な情報の他に放送衛星を介して広告に関する情報を放送し、表示装置にこの広告を間欠的に表示するようにしてもよい。間欠的な表示方法としては、放送側から所定のタイミングで繰り返し広告に関する情報を放送することも考えられるが、地上側装置に広告に関する情報を一旦蓄積させ、その蓄積された広告に関する情報を所定の間隔で表示するようにしても構わない。
（４）本発明では、放送衛星を介して表示地域を特定する情報を放送し、表示装置の位置を検出する位置検出機能により特定される前記表示装置の位置がその情報により特定される表示域内にあるときに道路表示板や広告の表示に必要な情報するようにしても構わない。
【００１５】
これにより、特定の地域ごとにその地域に合致した道路情報や広告を提供することが可能となる。（５）本発明では、放送衛星を介して受信装置の固有の識別子（例えばアドレス）となる情報を放送し、受信装置はその情報が一致したとき道路情報や広告を表示装置に表示するようにしてもよい。識別子は受信装置やそれに対して着脱可能なメモリに記憶されているものであってもいいし、その都度発生させる仕組みであっても勿論構わない。
【００１６】
これにより、最小１台から、最大では設置された全ての受信装置に必要な情報を表示するようにできる。従って、例えばユーザの嗜好とアドレスとの対応があるデータベースなどを用意すれば、個々の嗜好に合致した広告の提供を行うことができる。本発明では、こういった嗜好の問題ばかりでなく、ユーザの立場からみると一部のインターネットのサービスの如く余計でジャンクな広告を提供されることはないので、広告に対する信頼度などが高まり、結果として広告としての効果が非常に高く価値のあるものとなる。
【発明の効果】
【００１７】
以上のように、本発明では、道路表示板や広告板、広告塔などへの情報の表示をより迅速（リアルタイム）にかつより柔軟に行うことができる。
【発明を実施するための最良の形態】
【００１８】
以下、本発明に係る実施の形態を図面に基づいて詳細に説明する。
（システム全体）
【００１９】
図１は本発明の一実施形態に係るシステムの構成を概略的に示した図である。
【００２０】
同図に示すように、本実施形態においては、放送局１から番組データ等がアップリンクを介して放送衛星２へ送信される。当該番組データ等を受信した放送衛星２は、デジタル衛星放送波を介して当該番組データ等を地上に送信する。そして、地上側装置３は放送衛星２から送信されたデジタル衛星放送波を受信する。
【００２１】
当該デジタル衛星放送は、オフィス、家庭等など非移動型受信端末は勿論のこと、車載、携帯等の移動体受信端末に対してＳバンド衛星により全国同報で、音声、デ−タ、画像から成るマルチチャネルサ−ビスを提供するものである。本実施形態においては、このシステムを利用して道路表示板の表示に必要な情報を放送するための専用チャネル乃至サブチャネルを用いて道路表示板に必要な情報を放送し地上側装置３にその情報を提供するものである。
（放送側装置）
【００２２】
図２は放送側装置の構成を示すブロック図である。この放送側装置の構成は、例えば図１に示した放送衛星２に実装されていても構わないが、その一部が地上側、例えば放送局１側に実装されていても勿論構わない。
【００２３】
図２において、１１は映像・音声信号の符号化処理部、１２は受信装置アドレス発生部、１３は多重化処理部、１４は変調部、１１１は表示装置に表示する道案内、制限速度、渋滞、気象などの案内、規制、サービスなど運転時に必要な道路情報のアナログの表示用映像・音声信号、１１２，１１３、１１４はインタフェース、１１５は送信用信号を表す。
【００２４】
ここで、表示用映像・音声信号１１１が到来すると符号化処理部１１がデジタル信号に変換して、インタフェース１１２を介して多重化処理部１３に送られる。また道路情報の内容に応じて、その情報を表示すべき受信装置のアドレスが、受信装置アドレス発生部１２からデジタル化された信号で発生されインタフェース１１３を介して多重化処理部１３に送られる。
【００２５】
この受信装置アドレス信号には受信装置のアドレスに加えて、番組番号と放送開始日時、放送終了日時、再生時条件が含まれており、これらはいわゆる「道路情報番組編成」時点で決まる情報である。表示用映像・音声信号と受信装置アドレス信号は多重化処理部１３で多重化されインタフェース１１４を介して変調部１４に送られ変調される。変調された信号はインタフェース１１５を介して送信出力部（図示を省略）に送られ送信される。
（地上側装置）
【００２６】
図３は図１に示した地上側装置３の構成を示すブロック図である。地上側装置３は、受信装置と表示装置とで構成され、それらが一体的であってもいいし、分離されていても勿論構わない。また、この地上側装置３は、例えば図４に示すように、高速道路上に配置された道路表示板４をその代表例として挙げることができるが、勿論一般道の道路表示板であってもよい。また、自動車に搭載された端末装置や自動車内に持ち込まれる端末装置であっても勿論構わない。この場合には、表示装置として例えばカーナビゲーションシステムおける表示部を共用することができる。
【００２７】
図３において、２１は復調部、２２は多重分離部、２３は映像・音声再生処理部、２４は受信装置アドレス処理部、２５はマイクロプロセッサ、２６は補助記憶装置、２７は表示装置、２８は受信装置のアドレス発生部、２１１は受信した表示用映像・音声信号および受信装置アドレス信号の多重化信号、２１２、２１３、２１４、２１５、２１６、２１７、２１８はインタフェース、２１９は映像・音声再生信号出力を示す。
【００２８】
受信した表示用映像・音声信号および受信装置アドレス信号２１１が到来すると復調部２１でデジタル符号に復調され、インタフェース２１２を介して多重分離部２２に送られる。多重分離部２２で表示用映像・音声信号と受信装置アドレス信号とに分離されインタフェース２１３を介して、映像・音声再生処理部２３、受信装置アドレス処理部２４にそれぞれ送られる。
【００２９】
映像・音声再生処理部２３では映像・音声信号のデコードを行う。受信装置アドレス処理部２４では受信装置アドレス信号のデコードを行うとともに、インタフェース２１５を介してマイクロプロセッサ２５にその情報を送る。
【００３０】
マイクロプロセッサ２５はアドレス発生部２８からインタフェース２１７を介して、受信装置のアドレス情報を読み取り、インタフェース２１５を介して送られた受信装置アドレスと比較して一致するかを判別する。
【００３１】
一致する場合はインタフェース２１５を介して送られた再生条件を判別して、緊急放送またはリアルタイム放送の場合はインタフェース２１５を介して映像・音声再生処理部２３に受信中の表示用映像・音声信号を再生し表示するよう指令を与える。映像・音声再生処理部２３はこれを再生してインタフェース２１９を介して表示装置２７に表示する。
【００３２】
再生条件が繰り返し放送の場合はデコード前の表示用映像・音声再生信号と、受信装置アドレス信号をそれぞれインタフェース２１４、２１６とを介して補助記憶装置２６に一旦記憶し再生条件に従って呼び出し再生する。
【００３３】
なお、アドレス発生部２８はスイッチやリードオンリーメモリ（ＲＯＭ）でアドレスを発生する。他の方法として、アドレス発生部に書き換え可能なメモリ（フラッシュメモリなど）を持たせ、デジタル放送で採用されているエンジニアリング・サービス機能によりアドレスをダウンロードして、当該受信装置のアドレスとすることも可能である。このように構成すれば、受信装置のアドレスをダイナミックに放送装置から設定できる。
（受信装置アドレス情報）
【００３４】
図５は受信装置アドレス情報の本発明に係わる部分の一例を示す図である。  
【００３５】
図５において、３１は基本フォーマット、３２は再生条件フラッグを示す。
【００３６】
ここで、「番組番号」は道路情報の内容により決められる。例えば、渋滞情報、事故情報、気象情報、施設案内、緊急情報などの情報を区分するのに用いられ、再生するときに参照される。  
【００３７】
「放送開始日時」と「放送終了日時」は再生時の番組長を決定することと、再生条件の判断に使用される。またこれらの番組番号と放送開始日時および放送終了日時は補助記憶装置の記憶場所を決定するためにも使用される。
【００３８】
「再生条件フラッグ」は運転者にとってその時点でもっとも必要な情報を表示装置に表示するために使用される。再生条件フラッグとして符号３２で示す例では、「０」、「１」、「２」、「３」の４つの位置のフラッグを示している。
【００３９】
位置「０」に二進数の１があれば事故情報などの緊急放送であることを示し、全ての再生・表示に優先して表示装置２７に表示する。  
【００４０】
同じく位置「１」はリアルタイム放送を示し受信した表示用映像・音声再生信号を再生して表示装置２７に表示する。
【００４１】
位置「２」、「３」は受信した表示用映像・音声再生信号を一旦補助記憶装置２６に記憶し、再生する。再生する時間間隔は位置２と３のフラッグで変えることができる。たとえば０と１なら１０分間隔、１と０なら２０分間隔、１と１なら１時間間隔で補助記憶装置２６に記憶されている表示用映像・音声再生信号を再生して表示装置２７に表示する。表示時間は記憶されている容量によって変わる。
（地上側装置の動作）
【００４２】
図６は地上側装置の動作を示すフローチャートである。  
【００４３】
本発明の一実施例のフローを示す図で、Ｓはステップを示す。
【００４４】
受信装置の電源が投入され受信を開始すると、Ｓ１で、受信装置で発生したアドレスと送信された受信装置アドレスが比較され、その結果Ｓ３でアドレス指定がなされたかを判別する。
【００４５】
指定がなされると、Ｓ４で再生条件フラッグが呼び出される。Ｓ５でフラッグ「０」が調べられ１であれば受信中の表示用映像・音声再生信号は緊急放送を意味するので、Ｓ６で再生して表示装置２７に表示する。
【００４６】
再生条件フラッグ「０」が０の時はＳ５でフラッグ「１」が調べられ、フラッグ「１」が１であれば、受信中の表示用映像・音声再生信号はリアルタイム放送を意味するので、Ｓ８で再生して表示装置２７に表示する。
【００４７】
再生条件フラグ「１」が０であればＳ９で再生条件フラッグ「２」と「３」が調べられ、どちらか１または両方１の場合は補助記憶装置２６に記憶されている表示用映像・音声再生信号を、あらかじめ定められている時間間隔で再生して表示装置２７に表示する。
【００４８】
本実施形態においては、例えば補助記憶装置２６に予め広告情報を記憶しておき、リアルタイム放送により交通情報を表示し、所定の時間間隔で補助記憶装置２６に記憶された広告情報に基づき広告を表示し、緊急時には割り込みのような形で緊急情報を表示する形態が考えられる。しかし、これは一形態に過ぎず、本発明では上記技術を利用して様々な形態をとることができる。
【００４９】
なお、表示用映像・音声再生信号を、インターネットを経由して収集し、放送局で倫理規定などによる判定の後放送するようにすれば、広い地域または顧客からの情報収集〜放送までのリードタイムを短縮することができる。
（他の実施形態）
【００５０】
以上は地上側装置における受信装置のアドレスを受信装置内のアドレス発生部により決定する例を説明したものであるが、受信装置の設置位置をアドレス情報にすれば、アドレス設定の柔軟性と使い勝手の向上を図ることができる。
【００５１】
図７は図３の受信装置のアドレス発生部２８の代わりに位置情報検出部４１とインタフェース４１１を持つ。なお、位置情報検出部４１は例えばＧＰＳ（Global Positioning System）を用いることができる。
【００５２】
このように構成した受信装置はアドレス発生部２８の発生するアドレスに変えて、受信装置が設置されている位置情報を位置情報検出部４１で検出してインタフェース４１１を介してマイクロプロセッサ２５に送る。以下の動作は前述のとおりである。
【００５３】
具体的な応用例を、図８を用いて説明する。ここでは、地上側装置が自動車内に搭載されていることを前提としている。
【００５４】
６１の地点Ａで表示Ａ（たとえば山に関する情報）を表示中の車が、６２の地点Ｂに移動したときに、表示Ｂ（たとえば川に関する情報）に自動的に変えることが可能である。
【００５５】
図９は図１に示した地上側装置３の他の実施例の構成を示すブロック図である。地上側装置３は、受信装置と表示装置とで構成されている。図３の実施例と同様に、これらが一体的であってもいいし、分離されていても勿論構わない。また、この地上側装置３は、図４示すように、高速道路上に配置された道路表示板４をその代表例として挙げることができるが、勿論一般道の道路表示板であってもよい。また、自動車に搭載された端末装置や自動車内に持ち込まれる端末装置であっても勿論構わない。この場合には、表示装置として例えばカーナビゲーションシステムおける表示部を共用することができる。これらは図３の実施例と同様である。
【００５６】
図９において、２１は復調部、２２は多重分離部、２３は映像・音声再生処理部、２４は受信装置アドレス処理部、２５はマイクロプロセッサ、２６は補助記憶装置、２７は表示装置、２８は受信装置のアドレス発生部、２１１は受信した表示用映像・音声信号および受信装置アドレス信号の多重化信号、２１２、２１３、２１４、２１５、２１６、２１７、２１８はインタフェース、２１９は映像・音声再生信号出力を示す。これらは図３の実施例と同様であり、本実施例として、ここに別の構成としてＣＡＳ（Conditional Access System）制御部３００が加わる。ＣＡＳシステムは有料放送システムを構成する際に必要な契約に基づく視聴制限を行うための構成である。本実施例ではこの有料放送システムのインフラを表示システムに活用した例を示している。
【００５７】
図示しないアンテナから受信した表示用映像・音声信号および受信装置アドレス信号２１１が到来すると復調部２１でデジタル符号に復調され、インタフェース２１２を介して多重分離部２２に送られる。多重分離部２２で表示用映像・音声信号と受信装置アドレス信号とに分離されインタフェース２１３を介して、映像・音声再生処理部２３、受信装置アドレス処理部２４にそれぞれ送られる。受信装置アドレス処理部２４の後段においては、正規の放送番組の契約視聴者に視聴制限を行うための認証を行う前述のＣＡＳ制御部３００が接続されている。ＣＡＳ制御部３００は映像・音声再生処理部２３とも接続されており、ＣＡＳ制御部３００は、アドレス信号と認証情報による視聴契約の内容に従って映像・音声再生処理部２３の再生動作をコントロールし表示装置２７への表示用の映像・音声信号の出力を制御する。このようにして、本地上側装置においては視聴制限の解除を行っている。
【００５８】
映像・音声再生処理部２３では映像・音声信号のデコードを行う。受信装置アドレス処理部２４では受信装置アドレス信号のデコードを行うとともに、インタフェース２１５を介してマイクロプロセッサ２５にその情報を送る。
【００５９】
マイクロプロセッサ２５はアドレス発生部２８からインタフェース２１７を介して、受信装置のアドレス情報を読み取り、インタフェース２１５を介して送られた受信装置アドレスと比較して一致するかを判別する。
【００６０】
一致する場合はインタフェース２１５を介して送られた再生条件を判別して、緊急放送またはリアルタイム放送の場合はインタフェース２１５を介して映像・音声再生処理部２３に受信中の表示用映像・音声信号を再生し表示するよう指令を与える。映像・音声再生処理部２３はこれを再生してインタフェース２１９を介して表示装置２７に表示する。
【００６１】
再生条件が繰り返し放送の場合はデコード前の表示用映像・音声再生信号と、受信装置アドレス信号をそれぞれインタフェース２１４、２１６とを介して補助記憶装置２６に一旦記憶し再生条件に従って呼び出し再生する。
【００６２】
なお、アドレス発生部２８はスイッチやリードオンリーメモリ（ＲＯＭ）でアドレスを発生する。他の方法として、アドレス発生部に書き換え可能なメモリ（フラッシュメモリなど）を持たせ、デジタル放送で採用されているエンジニアリング・サービス機能によりアドレスをダウンロードして、当該受信装置のアドレスとすることも可能である。このように構成すれば、受信装置のアドレスをダイナミックに放送装置から設定できる。
【００６３】
一般の放送番組の視聴の場合、ＣＡＳ制御部３００は、アドレス信号と認証情報による視聴契約の内容に従って映像・音声再生処理部２３の再生動作をコントロールし表示装置２７への表示用の映像・音声信号の出力を制御する。
【００６４】
このように本実施例においては有料放送システム特にＣＡＳシステムとこの表示システムを兼用する場合は、有料番組の視聴制限解除に必要な情報のひとつであるアドレス信号が、表示装置２７に広告や非常時告知を行う場合の再生条件の判定にも用いることができる。
【００６５】
一般に、放送システムに割り当てられる電波の使用帯域は無制限ではなく、放送免許毎に制限されており、言い換えれば単位時間当たりに送信できる情報が制限されることになる。
システムを共用する場合、当然、アドレス信号等の制御信号の部類に属する信号も当然それぞれのシステムに応じて独立することになるがその分データは冗長になる。本システムにおいてはアドレス信号の分だけ送信側のデータの冗長性が解消されるという利点があり、同様に受信側である地上側装置の制御用プログラムの規模の縮小にも寄与するという利点もある。
（実施形態の効果）
（１）放送衛星の持つ全国または全サービス地域一斉かつリアルタイム放送かつ受信装置のアドレスを指定できるという特性と、受信装置のアドレス機能を組み合わせることにより、最小１台から、最大では動作中の全ての受信装置に必要な情報をいつでも、どこでも表示できる極めて柔軟性の高い表示システムが実現できる。特に、例えばＣＡＳを使ったシステムのように、アドレスと個人情報とが例えばデータベース上で結びついているような場合には、個人情報の嗜好に応じた広告などの情報を精度よく提供することが可能である。具体的には、多数のアドレスに対して個人情報の嗜好によるフィルタリングをかけることで実現可能である。
（２）受信装置のアドレスを送信装置からダイナミックに変更できるので、たとえば同一内容の表示を地域ごとや、高速道路ごとなどきめ細かに行うことができる。また、受信装置に表示の優先度を決める機能を持たせることにより、緊急放送などを優先的に表示することができる。
（３）受信装置に補助記憶装置を持たせることにより、同じ内容をいろいろな時間間隔で繰り返し表示が可能である。さらに受信装置に位置情報検出機能を組み込み、検出した位置を受信装置のアドレスとすることにより、極めて容易に地域別表示、場所別表示が可能であり広告・案内・通報などに応用すれば極めて優れた表示システムを実現できる。
【図面の簡単な説明】
【００６６】
【図１】本発明の一実施形態に係るシステムの構成を概略的に示した図である。
【図２】放送側装置の構成を示すブロック図である。
【図３】図１に示した地上側装置の構成を示すブロック図である。
【図４】地上側装置の具体的な設置例を示す図である。
【図５】受信装置アドレス情報の本発明に係わる部分の一例を示す図である。
【図６】地上側装置の動作を示すフローチャートである。
【図７】他の実施形態に係る地上側装置の構成を示すブロック図である。
【図８】図７に示したシステムにおける動作を示す図である。
【図９】他の実施形態に係る地上側装置の構成を示すブロック図である。
【符号の説明】
【００６７】
１１  映像・音声信号の符号化処理部
１２  受信装置アドレス発生部
１３  多重化処理部
１４  変調部
１１１  アナログの表示用映像・音声信号
１１２，１１３、１１４  インタフェース
１１５  送信用信号
２１  復調部
２２  多重分離部
２３  映像・音声再生処理部
２４  受信装置アドレス処理部
２５  マイクロプロセッサ
２６  補助記憶装置
２７  表示装置
２８  受信装置のアドレス発生部
２１１  受信した表示用映像・音声信号および受信装置アドレス信号の多重化信号
２１２、２１３、２１４、２１５、２１６、２１７、２１８  インタフェース
２１９  映像・音声再生信号出力
３１  基本フォーマット
３２  再生条件フラッグ
４１  位置情報検出部
４１１  インタフェース
【図１】
2005323051.tif 000003
【図２】
2005323051.tif 000004
【図３】
2005323051.tif 000005
【図４】
2005323051.tif 000006
【図５】
2005323051.tif 000007
【図６】
2005323051.tif 000008
【図７】
2005323051.tif 000009
【図８】
2005323051.tif 000010
【図９】
2005323051.tif 000011